(57)【要約】【課題】  廃棄物最終処分場等の法面位置での表面遮水工で敷設される遮水シート上を覆土する客土を、法面上に確実に保持させる。【解決手段】  廃棄物最終処分場等において、内部空間に埋設され、盛り立てられた廃棄物を被覆する表面遮水工２を行う際に、遮水シート１０で覆われた表面遮水工２の法面１上に沿ってジオグリッドを敷設してジオグリッド層１２を形成する。さらにジオグリッド層１２の表面に、法面高さ方向に所定間隔をあけて配設された水平受梁２０を固着する。ジオグリッド層１２と水平受梁２０とで囲まれた法面１上を客土８で覆土する。これにより、ジオグリッド層と１２水平受梁２０とで法面１に沿った客土８の滑りを抑止することができる。【選択図】  図１
2006063631.tif 000002
【特許請求の範囲】
【請求項１】
遮水シートで覆われた法面上に沿ってジオグリッドを敷設して形成されたジオグリッド層と、該ジオグリッド層の表面に固着され、法面高さ方向に所定間隔をあけて配設された水平受梁とを備え、前記ジオグリッド層と前記水平受梁とで囲まれた法面上を客土で覆土し、前記法面に沿った前記客土の滑りを抑止することを特徴とする遮水シート法面上の客土安定構造。
【請求項２】
遮水シートで覆われた法面上に沿ってジオグリッドを敷設してジオグリッド層を形成し、該ジオグリッド層の所定高さに、前記ジオグリッドと同材料の表面カバーの一端を固着し、該表面カバー内に土のうを収容し、該土のうを覆うように前記表面カバーの他端を前記ジオグリッド層に定着して法面高さ方向に所定間隔をあけて水平受梁を配設し、前記ジオグリッド層と前記水平受梁とで囲まれた法面を客土で覆土したことを特徴とする遮水シート法面上の客土安定構造の構築方法。
【請求項３】
前記水平受梁は、前記法面上のジオグリッドと同材料の表面カバーで覆われ、内部に土のうが収容されたことを特徴とする請求項１記載の遮水シート法面上の客土安定構造。
【請求項４】
前記水平受梁は、前記ジオグリッド層の所定高さ位置で、該ジオグリッドと前記表面カバーの目合いとを、接続具を介して編み込んで前記ジオグリッド層上に固着されたことを特徴とする請求項３記載の遮水シート法面上の客土安定構造。
【請求項５】
前記水平受け梁は、内部に複数段の土のうが積み上げられ、最上段の土のうに植生基材が充満されたことを特徴とする請求項１記載の遮水シート法面上の客土安定構造。
【発明の詳細な説明】
【技術分野】
【０００１】
本発明は遮水シート法面上の客土安定構造及びその構築方法に係り、たとえば廃棄物最終処分場等の表面遮水工として施工された法面や、河川護岸、用水池護岸等の遮水シートが敷設された法面の覆土工の客土の安定構造及びその構築方法に関する。
【背景技術】
【０００２】
図６各図は、従来の廃棄物最終処分場において、廃棄物が全容量埋められた状態の一例を示した概略断面図である。この種の廃棄物処分場５０では、周辺環境との調和を図る観点から、図６各図に示したように、廃棄物５１を所定容量まで埋め終えた後に、表面遮水工５２として、堆積廃棄物５１の上面に内部保護土（図示せず）で覆土し、さらに遮水シート５３を敷設し、雨水が廃棄物５１の貯留部分に浸透しないようにするとともに、遮水シート５３を所定層厚の客土５５で覆土し、植生５７等を施すタイプが建設されている。この種の廃棄物最終処分場５０では、各図に示したように、盛土高さに応じて所定勾配の法面５６が表面遮水工５２の端部に形成されるが、この法面５６に敷設された遮水シート５３上に直接客土すれば、客土５５と遮水シート５３との間の摩擦が小さいため、客土５５部分が法面５６に沿って滑るおそれがある。このため、法面５６上の客土５５の安定化を図る方法を講じる必要がある。
【０００３】
これに対して、従来、急勾配法面等の緑化工を行うために、法面上で植生基盤等の客土を安定化を図る方法として、アンカーピン等の固定具を用いてユニット化した植生基盤ブロック等を、法面に固定する方法が提案されている（特許文献１，特許文献２参照）。特許文献１では、金網板の一部を折り曲げて突起条部を有する金網ユニットをピン状のアンカー材で地盤に固定し、この金網ユニットに客土、種子等を含む植生材料を吹き付けて隆起状部を形成するようになっている。また、特許文献２では、法面地山を被覆したコンクリート層上にロックウール等の芯材をアンカー部材で固着し、その部分に基盤材を吹き付けて水平梁状基盤を構築し、その部分に客土し、客土の安定を図るようになっている。
【０００４】
法面緑化工では上述したようなアンカーピン等によって法面表面に植生基盤等を固定して客土の安定化を図る方法が有効であるが、表面遮水工を施した法面上では、遮水シートを傷つけるようなアンカーピンによる固定手段はとることができない。
【０００５】
そこで、このような問題を解決するために、表面（上面）を粗面に仕上げた遮水シートを敷設して客土と遮水シートとの間の摩擦を大きくしたり、遮水シートを覆うように布製型枠を敷設し、布製型枠内にコンクリートや植生基材を充填して、凹凸面のある法面を形成し、そのポット状の凹部に客土を行う方法等がある。また、廃棄物最終処分場の法面緑化を考慮した緑化マットも提案されている（特許文献３）。この緑化マットは、所定寸法の四角形状の不織布からなる下地材上に保水作用のある圧縮基盤ブロックを芯とした緑化基盤材を畝状に複数列配置したユニット部材で、この緑化マットを法面に沿って隙間なく覆うように敷設することで法面被覆を行うようになっている。
【０００６】
【特許文献１】実開平６−２７９３５号公報。
【特許文献２】特開平６−３２２７７０号公報。
【特許文献３】特開２０００−１２００７０公報。
【発明の開示】
【発明が解決しようとする課題】
【０００７】
ところが、特許文献３に開示された緑化マットは、マットを構成する圧縮基盤ブロック、緑化基盤材、カバーシート等を工場で組み立てて製造し、現場に搬入して、個々に並べるようにして敷設するため、製造コストがかかる上、マットの位置調整等の修正作業が必要となり、作業が煩雑になる。また、各緑化マットを法面方向に積み重ねる際には、結束具等の固定手段を用いて固定、連結して行く必要があり、それが不十分な場合には法面に沿って積み上げたマットが崩れるおそれもある。さらにマットが安定して設置できない急勾配の法面ではワイヤー等で吊持して保持しなければならないという問題がある。
【０００８】
そこで、本発明の目的は上述した従来の技術が有する問題点を解消し、法面上に敷設された遮水シート面上に、従来普及している土工材料を用いて、簡単で安全な作業によって所定層厚の客土を安定した状態で施工できるようにした遮水シート法面上の客土安定構造及びその構築方法を提供することにある。
【課題を解決するための手段】
【０００９】
上記目的を達成するために、本発明は遮水シートで覆われた法面上に沿ってジオグリッドを敷設して形成されたジオグリッド層と、該ジオグリッド層の表面に固着され、法面高さ方向に所定間隔をあけて配設された水平受梁とを備え、前記ジオグリッド層と前記水平受梁とで囲まれた法面上を客土で覆土し、前記法面に沿った前記客土の滑りを抑止することを特徴とする。
【００１０】
その構築方法として、遮水シートで覆われた法面上に沿ってジオグリッドを敷設してジオグリッド層を形成し、該ジオグリッド層の所定高さに、前記ジオグリッドと同材料の表面カバーの一端を固着し、該表面カバー内に土のうを収容し、該土のうを覆うように前記表面カバーの他端を前記ジオグリッド層に定着して法面高さ方向に所定間隔をあけて水平受梁を配設し、前記ジオグリッド層と前記水平受梁とで囲まれた法面を客土で覆土したことを特徴とする。
【００１１】
このとき、前記水平受梁は、前記法面上のジオグリッドと同材料の表面カバーで覆われ、内部に土のうを収容することが好ましく、また、その固着方法として、前記ジオグリッド層上の所定高さ位置で、該ジオグリッドと前記表面カバーの目合いとを、接続具を介して編み込んで前記ジオグリッド層上に固着することが好ましい。
【００１２】
さらに、前記水平受け梁は、内部に複数段の土のうが積み上げられ、最上段の土のうに植生基材を充満することが好ましい。
【発明の効果】
【００１３】
本発明の安定構造によれば、通常の土工材料を用いて法面上に構築された水平受梁により、廃棄物最終処分場等の法面位置での表面遮水工で敷設される遮水シート上を覆土する客土を、法面上に確実に保持させることができるという効果を奏する。
【００１４】
また、その構築方法としての発明によれば、法面上に敷設されたジオグリッド層の表面に同材料の表面カバーを固着し、該カバーで土のうを覆うようにして水平受梁を効率よく構築するようにしたので、通常の土工材料を用いて、法面上に水平受梁を迅速に構築することができ、また該水平受梁で区画された法面上に客土を効率よく覆土することができ、覆土の安定化を図ることができる。
【発明を実施するための最良の形態】
【００１５】
以下、図面を参照して、実施例に基づき本発明を説明する。
【実施例】
【００１６】
図１は、本発明の実施例を説明するために、上述した廃棄物最終処分場（図６（ｂ））の表面遮水工の法面の一部を切欠いて示した斜視図である。
【００１７】
まず、表面遮水工２が施工された法面１の全体構成について図１を参照して説明する。本実施例の表面遮水工２（キャッピング工）が施された法面１は、同図に示したように、所定の勾配（１：２．０）で埋め立てられた廃棄物３に対して法面高さのほぼ中間位置に小段４を設けた形状からなる。盛り立てられた廃棄物３の表面は所定層厚の内部保護土５で被覆され、さらに内部保護土５の法面全面にわたり遮水シート１０が敷設されている。遮水シート１０は、小段４位置においてもスラブ状の小段コンクリート６の下面に沿って配置されるように連続して敷設され、さらにこれら法面の遮水シート１０、小段コンクリート６の全面を覆うように客土８による覆土工が施されている。
【００１８】
図２は、この覆土工を行う工程（詳細は後述する。）において、遮水シート１０上の全面を覆うように敷設された覆土安定用ジオグリッド層１２（以下、法面全面に施工された部材全体を指す場合は、「ジオグリッド層１２」と記し、構成部材を指す場合は、単に「ジオグリッド１３」と記す。）と、ジオグリッド層１２上に敷設される客土安定構造としての水平受梁２０とが配設された施工段階での法面の状態を示した斜視図である。
【００１９】
ジオグリッド層１２は、図２に示したように、所定幅のロール状のジオグリッド１３を法面高さ方向に帯状に敷設し、法面全面を覆うように構成されている。ジオグリッド層１２の法肩部１２ａ（上端部）における端部定着処理は、ジオグリッド１３の端部を小段コンクリート６の溝状に形成された定着突起部６ａまで延長してコンクリートに巻き込むようにして端部定着（固定）を行う。
【００２０】
なお、本明細書では、「ジオグリッド」の語は、所定間隔でせん孔された高強度ポリマーシート部材を所定軸方向に延伸して所定目合いのネット状とした材料（部材）を指すものとする。また、本実施例では、法面１上に敷設されたジオグリッド層１２では、部材としてのジオグリッド１３に、客土との摩擦抵抗性と、法面高さ方向への引張抵抗性が求められている。このため、図４に示したように、高密度ポリエチレンを１軸延伸して一方向に伸長した形状の縦目部１３ａ（目合い）を有するように構成されたタイプが採用されている。したがって、この実施例に用いられたジオテキスタイルとしてのジオグリッドとしては、同等作用効果を奏する材料であれば、たとえばポリプロピレン、ポリエステル等の他の樹脂材料、２軸延伸による正方形状等の目合い形状のグリッド状部材を適宜採用できることはいうまでもない。
【００２１】
水平受梁２０は、図２に示したように、法面１の高さ方向に対して法面全体を覆うように、法面に敷設されたジオグリッド１３と同材料からなる表面カバー２１で内部の土のう２２，２３が覆われ、法面上のジオグリッド層１２上に固着された現場組立部材で、法面高さ方向に対して所定の設置間隔をあけて法面長手方向に沿って梁がほぼ水平をなすように、後述する固定方法でジオグリッド層１２の所定位置に固着されている。このように法面上に水平受梁２０を配置し、図１に示したように各水平受梁２０間の法面（ジオグリッド層１２）上に客土８を撒き出して所定厚に転圧することで、客土８を法面上に安定させることができ、この結果、法面方向下方への滑りが確実に防止される。
【００２２】
ここで、廃棄物３の法面上に構築された表面遮水工２および水平受梁２０の構成について、図３を参照して説明する。所定法勾配で盛り立てられた廃棄物３上には所定層厚（本実施例では２００mm）で内部保護土５が被覆されている。この内部保護土５には、十分な粘着力が得られる粘性土が好適で、可能であれば現場発生土を用いることが好ましい。さらに内部保護土５上を覆うように、緩衝材、不陸調整材としての不織布マット１４が敷設されている。マット厚としては１０mm程度が好ましい。不織布マット１４上には遮水シート１０としての高密度ポリエチレンシート（厚さ１．５mm）が敷設されている。各遮水シート１０は所定の重なり代を確保して、公知の熱溶着（ホットウェルディング）等により水密性が保持できるように接合されている。遮水シート１０上には防根シート１５が敷設されている。防根シート１５は、覆土表面の植生工によって活着した植物根（図示せず）が遮水シート１０を貫通するのを防止するための植物根遮断部材で、公知の植物根忌避剤を含浸させた不織布シートや、物理的遮断が可能な合成樹脂シート等を適宜使用することができる。なお、これらシート、マットの厚さ、仕様は、上述に限られず、求められる基準をクリアする程度に設定されれば、各種を適宜選定できることはいうまでもない。
【００２３】
防根シート１５上には、ジオグリッド層１２が法面全面を覆うように形成されている。本実施例で用いられているジオグリッド１３は、図４にその一部を示したような、ロール方向に１軸延伸され、細長い縦目部１３ａ（目合い）がロール方向に連続するグリッド形状からなり、細長い目合いの方向と法面高さの方向とが一致するように法面上に敷設されている。さらにジオグリッド層１２上には、複数本の水平受梁２０が固着されている（図２参照）。これら水平受梁２０は、ジオグリッド１３と同材料からなる表面カバー２１で内部の土のう２２，２３が覆われ、ジオグリッド層１２上に固着された現場組立部材からなる。本実施例では、水平受梁２０の表面カバー２１をジオグリッド層１２に固着するために、接続バー２５が使用されている。この接続バー２５は図４各図に示したような、ジオグリッド１３と同一材質の高密度ポリエチレン成形品からなる、幅×厚さ×長さ（４０mm×５mm×１m)の平帯板で、その使用方法としては、一方のジオグリッド１３の縦目部１３ａに他のジオグリッド１３の縦目部１３ｂを曲げ入れて、長手方向に連続して上下の位置関係になって生じた双方のジオグリッド１３間の隙間１３ｃに接続バー２５を挿通させて、目合い部分を編み込むようにして使用される。帯板状部材であるため、ジオグリッド１３の目合い部分に生じる法面高さ方向のせん断力に対して確実に抵抗することができる。
【００２４】
なお、所定のせん断抵抗性、引張強度が確保されれば、上述の帯板状の接続バー２５に代えて、合成樹脂繊維を所定断面積の撚り線状に仕上げた樹脂製ストランド等の線材を１本あるいは複数本束ねて使用することも可能である。
【００２５】
本実施例では、図３に示したように、水平受梁２０の表面カバー２１で覆われた内部には２段に重ねられた土のう２２と、最上段に植生基材で満たされた植生土のう２３の３段の土のうが収容されている。下段の土のう２２には、客土材料と同一材料を充満させておくことが好ましい。なお、土のうの積み上げ段数、水平受梁２０の断面の大きさは、覆土工の層厚に応じて設定すればよく、高い段数の土のう２２，２３を積み上げ、断面が大きくなる水平受梁２０では、表面カバー２１の重なり代を十分とったり、接続バー２５の断面寸法を大きくしたり、使用本数等を増やすことが好ましい。なお、本実施例では土のうを積み上げて水平受梁２０の中実部分としたが、梁より上側の客土の滑りに抵抗できるだけの断面剛性が保持できれば、種々代替部材による梁で対応することができる。たとえば梁位置に吹付け工を行って造成した厚層基盤材梁等を採用することも可能である。
【００２６】
次に、図５各図を参照して、法面上の客土安定構造としての水平受梁２０の構築方法について説明する。まず図５（ａ）に示したように、ジオグリッド層１２が形成された法面上の所定高さに法面の長手方向に沿って表面カバー２１の一端を、接続バー２５を用いてジオグリッド１３に固着する。このときの固着方法は、図４に示したように、両方の目合いをかみ合わせるようにしてできた縦目間の隙間に接続バー２５を編み込むようにして一体化させる。このとき表面カバーの寸法は、図５（ｂ）で示した３段の土のうを巻き込んだ状態で、接続バー２５を使ってカバー端部をジオグリッド層１２に固着させるだけの接合しろ分を確保した長さとすることが好ましい。さらに３段の土のうを水平受梁２０の長手方向に沿って並べ、所定長さ分の土のうを覆うように表面カバー２１を被せてカバー端部の接合しろを、接続バー２５を用いてジオグリッド層１２に編み込んで水平受梁２０を構築する（図５（ｃ）参照）。その後、法面上で所定の覆土厚（本実施例では３０cm）を確保できるように、水平受梁２０の断面形状、特に梁高さを調整し、その梁高さを目安として法面上に客土８を撒き出すとともに、転圧して覆土工を完成させる。その後、現場周辺の植生状態に合致した植物の種子等を客土表面に吹き付ける等の植生工を施し、表面遮水工２の緑化を図る。以上の工程により、遮水シート１０が敷設された法面１の表面遮水工２の覆土、緑化を果たすことができる。
【００２７】
以上に述べた客土の安定構造は、上述の廃棄物最終処分場における表面遮水工における用途以外に、遮水シート等を傷めないように客土で覆土する構造の土構造物に、適当な変形を加えて適用できることはいうまでもない。
【図面の簡単な説明】
【００２８】
【図１】本発明の遮水シート法面上の客土安定構造の一実施例を適用した法面表面遮水工の一部を切欠いて示した概略斜視図。
【図２】図１に示した遮水シート法面上の客土安定構造の水平受梁が明らかになるように覆土工を取り除いて示した概略斜視図。
【図３】図１に示した法面表面遮水工の水平受梁付近の詳細構成を示した部分拡大断面図。
【図４】接続バーを用いたジオグリッドの接合状態を示した部分拡大図。
【図５】法面上に客土安定構造の水平受梁を構築する手順を模式的に示した施工順序図。
【図６】従来の廃棄物最終処分場における表面遮水工の構造の一例を示した概略構造断面図。
【符号の説明】
【００２９】
１  法面
２  表面遮水工
３  廃棄物
４  小段
６  小段コンクリート
８  客土
１０  遮水シート
１１  
１２  ジオグリッド層
１３  ジオグリッド
２０  水平受梁
２１  表面カバー
２２  土のう
２３  植生土のう
２５  接続バー
【図１】
2006063631.tif 000003
【図２】
2006063631.tif 000004
【図３】
2006063631.tif 000005
【図４】
2006063631.tif 000006
【図５】
2006063631.tif 000007
【図６】
2006063631.tif 000008